(57)【特許請求の範囲】
【請求項１】
傾斜屋根に網の上縁を繋止するとともに、傾斜屋根の上面に沿って網を張設し、
前記網の下縁を傾斜屋根の軒先に取り付けてある雨樋を包みこむように延在させ、網にテンションを掛けて雨樋受け金具に取り付けたことを特徴とする屋根用落雪防止装置。
【請求項２】
雪持ち用の突起を備えた傾斜屋根の上面に沿って、前記突起から軒先にかけて前記網を配設するとともに、前記突起に繋止具を介在させて網の上縁を取り付けたことを特徴とする請求項１に記載の屋根用落雪防止装置。
【請求項３】
傾斜屋根の瓦に繋止具を介して前記網の上縁を取り付け、傾斜屋根の上縁に沿って網を配設したことを特徴とする請求項１に記載の屋根用落雪防止装置。
【発明の詳細な説明】
【０００１】
【発明の属する技術分野】
本発明は家屋などの傾斜屋根に積もった雪の落雪を防止する装置に関するものである。
【０００２】
【従来の技術】
傾斜屋根に降り積もった雪は集積されて次第に大きな雪塊になり、天候が快復すると傾斜屋内の熱で雪塊の下面が融けて傾斜屋根を滑って軒先から落雪する。このような落雪は、時には軒先の下にある物を壊し、時には通行人に当たるなどの危害を発生させる。このため、傾斜屋根に上面に突起を設けた雪持ち瓦を設置するなどして、落雪が発生するのを防止している。
【０００３】
【発明が解決しようとする課題】
上記の雪持ち瓦を用いた場合でも、傾斜屋根の表面は、滑り易く依然落雪し易い状態であるから、落雪が発生する可能性がある。また、傾斜屋根の雪持ち瓦を設置した位置より下側では落雪が生じることになる。また、屋根の軒先では、降り積もった雪が徐々に滑って雨樋を包み込んで凍結することがある。そして、このため雨樋に大きな負荷が掛かり、雨樋が壊れてしまうこともある。
【０００４】
そこで、本発明は傾斜屋根からの落雪を防止する屋根用落雪防止装置を提供することを目的とする。
【０００５】
【課題を解決するための手段】
請求項１に係る屋根用落雪防止装置は、傾斜屋根に網の上縁を繋止するとともに、傾斜屋根の上面に沿って網を張設し、網の下縁を傾斜屋根の軒先に取り付けてある雨樋を包みこむように延在させ、網にテンションを掛けて雨樋受け金具に取り付けたことを特徴とする。傾斜屋根に降雪した雪は、網の網目や凹凸形状に詰まって落雪し難い状態になる。また、傾斜屋根に降った雪は、網に保持された状態で屋内の暖房の熱で融けて水になり、屋根に沿って雨樋に流れるようになる。これにより、雨樋を保護することができる。
【０００６】
請求項２に係る屋根用落雪防止装置は、雪持ち用の突起を備えた傾斜屋根の上面に沿って、前記突起から軒先にかけて網を配設するとともに、前記突起に繋止具を介在させて網の上縁を取り付けたことを特徴とする。なお、以下の実施形態では、繋止具として金属製の繋止金具を例示したが、繋止具は金属製であることに限定されるものではない。
【０００７】
請求項３に係る屋根用落雪防止装置は、傾斜屋根の瓦に繋止具を介して網の上縁を取り付け、傾斜屋根の上縁に沿って網を配設したことを特徴とする。これにより、雪持ち用の突起のない傾斜屋根にも取り付けることができ、また、網の取り付け位置を自由に選択できるようになる。
【０００８】
【発明の実施の形態】
以下、本発明の一実施形態に係る屋根用落雪防止装置を図面に基づいて説明する。
【０００９】
この屋根用落雪防止装置は、図１に示すように、家屋の傾斜屋根１の上面に網２を設置したものである。この屋根用落雪防止装置によれば、傾斜屋根１に降り積もった雪が網２の網目や凹凸形状に詰まり、雪が融け始めた際に、一時に大量の雪が傾斜屋根１から落下するのを防止する。また、雪は網２に保持された状態で屋内暖房の熱で網２の下側にある雪が融けて水になり傾斜屋根１に沿って流れる。
【００１０】
網２は、例えば、ひし形金網、厚ネット、溶接金網、クリンプ金網、亀甲金網やエキスパンド金網を採用することができる。また、網２はプラスチック製、樹脂製、化学繊維製、ＦＲＰ製、ゴム製等でも良いが、網２の強度及び耐候性を考慮し、亜鉛メッキ塗装を施した鉄線ワイヤーからなる金網が好適である。網２の外縁には網目に枠線ワイヤー2a、2bが通してある。
【００１１】
この屋根用落雪防止装置は、図１に示すように、傾斜屋根１に施工した雪持ち瓦３の円弧形状の穴3a1が形成された雪持ち用の突起3aに、繋止金具４を設置し、この繋止金具４に網２の上辺を引っ掛け、網２の下辺を傾斜屋根１の軒先まで延在させたものである。
【００１２】
繋止金具４は、網２の上縁の枠線ワイヤー2aに一端を引っ掛け、他端を雪持ち瓦３の突起3aに取り付けるものである。例えば、図２(a)(b)に示すように、棒状の鋼材を屈曲形成した金具で、突起3aの円弧形状の穴3a1に安定した状態で装着可能な所定幅の下辺部4aと、下辺部4aの両端から垂直面において略Ｓ字形状に屈曲形成した上辺部4bとを備え、上辺部4bに網２の上縁の枠線ワイヤー2aを引っ掛け、下辺部4aを雪持ち瓦の突起3aの円弧状の穴3a1に装着して、網2を雪持ち瓦の突起3aに取り付けるものでも良い。
【００１３】
網２の取付方法は、図３（a）に示すように、繋止金具４の上辺部4bに網２の上縁の枠線ワイヤー2aを引っ掛けて、繋止金具４に網２を吊るした状態にし、繋止金具４の上辺部4bの先端を枠線ワイヤー2aにかしめて枠線ワイヤー2aが抜けないようにする。次に、図３（b）に示すように、繋止金具４の下辺部4aを雪持ち瓦３の突起3aの円弧形状の穴3a1に装着して取り付け、図１に示すように、網２の下縁を傾斜屋根１に沿って軒先まで延在させる。このように雪持ち瓦３に繋止金具４を介在させて網２を取り付けるので、傾斜屋根１を傷つけることがない。
【００１４】
なお、突風で網２があおられないように網２の下縁を家屋に固定しておくことが望ましい。網２の下縁の固定方法は、例えば、図４(a)(b)に示すように、網２を張設して傾斜屋根１の軒先に取り付けてある雨樋６を包み込むように延在させ、網2の下縁の枠線ワイヤー2bを、繋止金具５で雨樋受け金具６aに固定すると良い。
【００１５】
このように、網２で雨樋６を包み込むように取り付けることにより、軒先部分でも雪が網２に保持されて滑らないので、雪が雨樋６を包み込んで凍結することがない。これにより雨樋６に大きな負荷が掛かるのを防止できる。また、網２の下縁を雨樋受け金具6aに取り付ける際に、網６にテンションを掛けて施工することにより、軒先部分に積もった雪の重さが雨樋６に掛かった場合でも、雨樋６を上側に引き上げようとする力が網２から雨樋６に作用するから網２で雨樋６を保護することができる。
【００１６】
この屋根用落雪防止装置を取り付けた傾斜屋根１に雪が降り積もると、網２の網目に雪が詰まり大量の落雪が発生するのを防止することができる。また、雪は、網２に保持された状態で、屋内暖房の熱で融けて水になり傾斜屋根１に沿って雨樋６に流れるようになる。
【００１７】
以上、本発明の一実施形態に係る屋根用落雪防止装置を説明したが、本発明は上記に限定されるものではない。
【００１８】
例えば、網２の取付方法は上記に限定されるものではない。また、網２は傾斜屋根１の軒先から傾斜屋根１の全面に設けても良い。また、繋止金具４は、雪持ち用の突起の形状に対応し、雪持ち用の突起に網を取り付けるために適切な形状であれば良い。
【００１９】
また、雪持ち瓦が施工されていない屋根１’に取り付ける場合は、図５に示すように、通常の瓦７に繋止金具８を介して網２を取り付けることにより、屋根１’に網２を設置することができる。この場合の繋止金具８は、例えば、図6(a)に示すように、瓦７に安定した状態で取り付けることができるように所定幅を有する連接部8aと、連接部8aの両端から、図６(b)に示すように、瓦７の上縁に繋止させるべくコ字型に屈曲形成した第1繋止部8bと、第1繋止部8bから瓦７の上面に沿って延在させる延在部8cと、延在部8cの端部から網２を繋止するために上向きにコ字型に屈曲形成した第2繋止部8dを備えた屈曲形状になっている。この繋止金具８は、屋根１’の瓦７をめくり、第１繋止部8bを瓦７の上縁に引っ掛け、延在部8cを瓦７の上面に沿って延在させ、瓦７を元通りに戻して設置する。網２は繋止金具８の第2繋止部8dに網２の枠線ワイヤー2aを引っ掛けて設置する。これにより、雪持ち瓦の付いていない屋根１’にも、本願の屋根用落雪防止装置を施工することができる。
【００２０】
また、雪の荷重は網２の上下方向のテンションになる。このため、ひし形金網を採用する場合は、網２が上下方向に所要の引張強度が得られるように、網２を構成するワイヤーが互いに上下方向に係合するようにひし形金網を配設すると良い。
【００２１】
【発明の効果】
請求項１に係る屋根用落雪防止装置は、傾斜屋根に網の上縁を繋止するとともに、傾斜屋根の上面に沿って網を張設し、網の下縁を傾斜屋根の軒先に取り付けてある雨樋を包みこむように延在させ、網にテンションを掛けて雨樋受け金具に取り付けたので、傾斜屋根に降雪した雪は、網の網目や凹凸形状に詰まって網に保持されるから落雪を防止することができる。また、雪は網に保持された状態で屋内暖房の熱で融けて水になり傾斜屋根に沿って雨樋に流れるようになる。また、傾斜屋根の軒先部分で雪がすべるのと防止でき、また、雨樋に係る雪の重さに抗して網の張力で雨樋を支持することができるので、雨樋を保護することができる。
【００２２】
請求項２に係る屋根用落雪防止装置は、雪持ち用の突起を備えた傾斜屋根の上面に沿って、前記突起から軒先にかけて網を配設するとともに、前記突起に繋止具を介在させて網の上辺を取り付けたので、屋根用落雪防止装置の設置により傾斜屋根を傷つけない。
【００２３】
請求項３に係る屋根用落雪防止装置は、傾斜屋根の瓦に繋止具を介して網の上縁を取り付け、傾斜屋根の上縁に沿って網を配設したので、雪持ち用の突起のない傾斜屋根にも取り付けることができ、また、網の取り付け位置を自由に選択できるようになる。
【図面の簡単な説明】
【図１】屋根用落雪防止装置を示す図。
【図２】（ａ）は屋根用落雪防止装置の繋止金具４を示す平面図、（ｂ）は屋根用落雪防止装置の繋止金具４を示す側面図。
【図３】（ａ）は屋根用落雪防止装置の網に繋止部材を取り付けた状態を示す平面図、（ｂ）は雪持ち用瓦に網を取り付けた状態を示す平面図。
【図４】（ａ）は屋根用落雪防止装置の網の下縁を取り付けた状態を示す図、（ｂ）は網の下縁を取り付けた状態を示す側面図。
【図５】傾斜屋根の通常の瓦に繋止金具を介して屋根用落雪防止装置を取り付けた状態を示す側断面図。
【図６】（ａ）は図5に示す繋止金具８の平面図、（ｂ）は繋止金具８の側面図。
【符号の説明】
１  傾斜屋根
２  網
３  雪持ち瓦
3a  突起
４  繋止金具
５  繋止金具
６  雨樋
6a  雨樋受け金具
７  通常の瓦
８  繋止金具
【図１】
0003606320.tif 000002
【図２】
0003606320.tif 000003
【図３】
0003606320.tif 000004
【図４】
0003606320.tif 000005
【図５】
0003606320.tif 000006
【図６】
0003606320.tif 000007